(57)【要約】  【課題】ロール紙の紙幅全域にわたってロール紙保持手段を配設する必要がなく、ロール紙保持手段の小型化に伴う装置の小型軽量化及びコストダウンを図ることができる、切断手段を有するロール紙印刷装置を提供する。  【解決手段】ロール紙２０２の切断箇所２０２ａより切り離される側の位置であって、該ロール紙の切断開始側の端縁近傍部分、もしくは切断開始側の端縁近傍部分及び切断終了側の端縁近傍部分に該ロール紙を表裏から押圧する一対のローラ等からなるロール紙保持手段１０１ａもしくは１０１ａ及び１０１ｂを配設する。【選択図】                図１
2006159414.tif 000002
【特許請求の範囲】
【請求項１】
ロール紙を切断する切断手段を有するロール紙印刷装置において、
ロール紙の切断箇所より切り離される側の位置であって、該ロール紙の切断開始側の端縁近傍部分にロール紙保持手段を配設することを特徴とするロール紙印刷装置。
【請求項２】
ロール紙を切断する切断手段を有するロール紙印刷装置において、
ロール紙の切断箇所より切り離される側の位置であって、該ロール紙の切断開始側の端縁近傍部分及び切断終了側の端縁近傍部分にロール紙保持手段を配設することを特徴とするロール紙印刷装置。
【請求項３】
前記ロール紙保持手段は、ロール紙を表裏から圧接する一対のローラからなることを特徴とする請求項１に記載のロール紙印刷装置。
【発明の詳細な説明】
【技術分野】
【０００１】
本発明は、ロール紙を切断する切断手段を有するロール紙印刷装置に関する。
【背景技術】
【０００２】
図２はロール紙を切断する切断手段を有するロール紙印刷装置の要部構成を示す模式的斜視図である。図２において、ロール紙２０２は搬送手段である搬送ローラ２０１により矢印Ａ方向に搬送され、搬送されたロール紙２０２の記録面（図示の上側表面）に対して記録ヘッド２０３により画像が印刷される。記録ヘッド２０３はヘッド移動手段２０４により矢印Ｂで示す方向に主走査しながら画像データに基づいて画像を形成していく。１ライン分の記録が終了すると、搬送ローラ２０１によりロール紙２０２を所定ピッチだけ紙送りし、次のラインの記録が行われる。このような１ライン分の記録と所定ピッチの紙送りを交互に繰り返すことでロール紙２０２の紙面に画像が印刷される。
【０００３】
図示の例では、記録ヘッド２０３としてインクジェット記録ヘッドが使用されており、インク供給装置２０５から記録ヘッド２０３に対してシアン・マゼンタ・イエロー及びブラックの複数色のインクが供給される。記録ヘッド２０３は、複数の画像データに基づいて複数の吐出口からこれらのインクを選択的に吐出することでロール紙２０２上に画像を印刷していく。
【０００４】
記録ヘッド２０３の下流側に配設された搬送ローラ２０１の下流側には、カッター移動手段２０７によって矢印Ｃ方向（搬送方向と交差する方向）に往復移動可能な切断手段であるカッター２０６が配設されている。画像印刷されたロール紙２０２は、カッター移動手段２０７でカッター２０６を駆動することにより切断され、所望の印刷物として出力される。図示のインクジェット記録装置においては、上記画像印刷の際、記録ヘッド２０３からのインク吐出は、操作者が外部Ｉ／Ｆへ送信した印刷画像情報に基づいて記録ヘッド制御手段により制御される（例えば、特許文献１参照）。
【０００５】
図３は図２のロール紙印刷装置におけるロール紙切断中の不具合を例示する模式的部分斜視図である。図２のロール紙印刷装置のカッター２０６でロール紙２０２を切断する際、切断の途中で図３に示すように、一部切断されたロール紙部分３０１、すなわちロール紙２０２の切断箇所より切り離される側の一部切断された部分３０１の自重による落下で生じる引っ張り力（引っ張り応力）によって、未だ切断されていないロール紙部分３０２が意図しない方向へ切断（破断）されるという不都合が生じることがあった。
【０００６】
図４は図３に示すような不都合を解消するための構成を有する従来のロール紙印刷装置の要部を示す模式的部分斜視図である。従来のロール紙印刷装置においては、図３に示すようなロール紙の意図しない方向への切断を防止するため、図４に示すようにロール紙２０２の切断箇所より切り離される側の位置に、該ロール紙２０２の幅方向全域を押圧する紙押さえローラ４０１が配設されていた。この紙押さえローラ４０１は、ロール紙を表裏から圧接するローラ対によって構成されている。このような紙押さえローラ４０１によれば、ロール紙２０２をカッター２０６で切断しているときに該ロール紙を上下から押さえつけるので、前述のようなロール紙の自重による落下を無くすことができ、従って、ロール紙が意図しない方向へ切断される不都合を防止することができる。
【特許文献１】特開２００２−０６７４１４号公報
【発明の開示】
【発明が解決しようとする課題】
【０００７】
しかしながら、ロール紙２０２の自重による意図しない切断現象を避けるための従来の紙押さえローラ４０１では、印刷装置の最大印刷可能ロール紙の紙幅全面にわたってローラ対を配設するため、当該印刷装置の最大印刷可能ロール紙の紙幅が大きくなるにつれて紙押さえローラー４０１自体の長さも同様に大きくする必要があり、装置の大型化を招くとともに、軽量化及びコストダウンにも反するという不都合があった。
【０００８】
本発明はこのような技術的課題に鑑みてなされたものであり、本発明の目的は、ロール紙の紙幅全域にわたってロール紙保持手段を配設する必要がなく、ロール紙保持手段の小型化に伴う装置の小型軽量化及びコストダウンを図ることができる、切断手段を有するロール紙印刷装置を提供することである。
【課題を解決するための手段】
【０００９】
本発明は、上記目的を達成するため、ロール紙を切断する切断手段を有するロール紙印刷装置において、ロール紙の切断箇所より切り離される側の位置であって、該ロール紙の切断開始側の端縁近傍部分にロール紙保持手段を配設することを特徴とする。
また、本発明は、上記目的を達成するため、ロール紙を切断する切断手段を有するロール紙印刷装置において、ロール紙の切断箇所より切り離される側の位置であって、該ロール紙の切断開始側の端縁近傍部分及び切断終了側の端縁近傍部分にロール紙保持手段を配設することを特徴とする。
【発明の効果】
【００１０】
本発明によれば、ロール紙の切断箇所より切り離される側の位置であって、該ロール紙の切断開始側の端縁近傍部分、もしくは切断開始側の端縁近傍部分及び切断終了側の端縁近傍部分にロール紙保持手段を配設するので、ロール紙の紙幅全域にわたってロール紙保持手段を配設する必要がなく、ロール紙保持手段の小型化に伴う装置の小型軽量化及びコストダウンを図ることができる、切断手段を有するロール紙印刷装置が提供される。
【発明を実施するための最良の形態】
【００１１】
以下、図面を参照して本発明の実施形態を具体的に説明する。なお、各図面を通して同一符号は同一又は対応部分を示すものである。図１は本発明を適用したロール紙印刷装置の一実施形態の要部構成を示す模式的斜視図である。図１において、ロール紙２０２は搬送手段である搬送ローラ２０１により矢印Ａ方向に搬送され、搬送されたロール紙２０２の記録面（図示の上面）に対し記録ヘッド２０３により画像が印刷される。記録ヘッド２０３はヘッド移動手段２０４により矢印Ｂで示す方向に主走査しながら画像データに基づいて画像を形成していく。
【００１２】
本実施形態における前記搬送手段は、記録ヘッド２０３及びヘッド移動手段２０４の搬送方向上流側及び下流側でロール紙幅方向の所定間隔位置に配設された複数の搬送ローラ２０１で構成され、各搬送ローラ２０１はロール紙２０２を表裏から押圧する駆動ローラ及び従動ローラで構成されている。ヘッド移動手段２０４の移動に同期して画像データに基づいて記録ヘッド２０３を駆動することで１ライン分の記録が終了すると、搬送ローラ２０１によりロール紙２０２を所定ピッチだけ紙送りし、次のラインの記録が行われる。このような１ライン分の記録と所定ピッチの紙送りを交互に繰り返すことでロール紙２０２の紙面に画像が印刷される。
【００１３】
本実施形態では、記録ヘッド２０３として、画像データに基づいて複数の吐出口から選択的にインク滴を吐出して画像を印刷するインクジェット記録ヘッドが使用されている。記録ヘッド２０３に対しては、インク供給装置２０５からシアン・マゼンタ・イエロー及びブラックの複数色のインクが供給される。記録ヘッド２０３は、複数色の画像データに基づいてロール紙２０２上に画像を印刷していく。本実施形態の印刷装置においては、上記画像印刷の際、記録ヘッド２０３からのインク吐出は、操作者が外部Ｉ／Ｆへ送信した印刷画像情報に基づいて記録ヘッド制御手段により制御される。
【００１４】
記録ヘッド２０３及びヘッド移動手段２０４の搬送方向下流側に配設された搬送ローラ２０１の下流側の隣接位置には、カッター移動手段２０７によって矢印Ｃ方向（搬送方向と交差する方向）に往復移動可能な切断手段であるカッター２０６が配設されている。画像印刷されたロール紙２０２は、カッター移動手段２０７でカッター２０６を駆動することにより切断され、所望の印刷物として出力される。本実施形態では、カッター移動手段２０７は、ロール紙２０２の両端部の上方に配置された駆動プーリ２０７ａと従動プーリ２０７ｂの間に掛け回されたベルト（ワイヤでも可）２０７ｃに切断手段であるカッター２０６が取り付けられ、駆動プーリ２０７ａを不図示のモータで駆動することでカッター２０６を往復移動させるように構成されている。ロール紙２０２の裏面側の前記カッター２０６の移動経路に対応する位置にはＶ字溝を有する案内部材２０７ｄが配置されている。
【００１５】
図１において、ロール紙２０２の切断箇所２０２ａより搬送方向下流側（切り離される側）の位置であって、該ロール紙の切断開始側の端縁近傍部分及び切断終了側の端縁近傍部分には、ロール紙２０２を表裏から圧接（又は押圧）するための一対のローラからなるロール紙保持手段１０１ａ、１０１ｂが配設されている。つまり、本実施形態のロール紙保持手段１０１ａ、１０１ｂは、ロール紙２０２の切断方向（搬送方向と交差する幅方向）に短縮した紙押さえローラを切断開始側及び切断終了側の端縁近傍部分を圧接保持するように配設されている。そして、図示のロール紙保持手段１０１ａ、１０１ｂは、いずれも、ロール紙２０２の表裏に押圧されて搬送方向に従動回転する一対のローラで構成されている。
【００１６】
本実施形態によれば、カッター２０６によるロール紙２０２の切断動作中に該ロール紙の切り離される側の部位をロール紙保持手段１０１ａ、１０１ｂにより表裏から押さえ付けて保持するので、該ロール紙の切断された部分は自重によって落下することがなく、従って該ロール紙が意図しない方向へ切断（破断）される不具合の発生を防止することができる。この際、図示のように、ロール紙２０２の切断方向における中心部分では該ロール紙を保持せず、端縁近傍部分のみを保持する構成となっている。
【００１７】
なお、以上の実施形態では、ロール紙保持手段１０１ａ、１０１ｂのように、ロール紙保持手段をロール紙２０２の切断開始側の端縁近傍部分及び切断終了側の端縁近傍部分の両方に配設したが、これは、ロール紙保持手段を切断開始側の端縁近傍部分のみに配設する構成、すなわち図示のロール紙保持手段１０１ａのみとし、ロール紙保持手段１０１ｂを削除する構成としても良く、かかる構成によっても、図示の実施形態の場合と同様の作用効果を奏することができ、本発明はかかる構成もその範囲内に含むものである。
【００１８】
また、以上の実施形態では、ロール紙保持手段が一対のローラからなる紙押さえローラである場合を例示したが、本発明のロール紙保持手段は、ロール紙の自重による落下を防止できる手段であれば、例えば、ファンによりロール紙を吸引する手段、あるいは静電気によりロール紙を吸着する手段など、他の保持方法を用いる構成であっても良く、かかる構成によっても同様の作用効果を奏することができ、本発明はかかる構成もその範囲内に含むものである。
【００１９】
以上の説明から明らかなごとく、本発明によれば、ロール紙の切断箇所より切り離される側の位置であって、該ロール紙の切断開始側の端縁近傍部分、もしくは切断開始側の端縁近傍部分及び切断終了側の端縁近傍部分にロール紙保持手段を配設するので、ロール紙の紙幅全域にわたってロール紙保持手段を配設する必要がなく、ロール紙保持手段の小型化に伴う装置の小型軽量化及びコストダウンを図ることができる、切断手段を有するロール紙印刷装置が提供される。
【００２０】
なお、以上の実施形態では、記録ヘッドでロール紙を主走査しながら印刷するシリアルタイプの印刷装置を例に挙げて説明したが、本発明は、ロール紙の全幅又は一部をカバーする長さの記録ヘッドを用いて搬送方向の副走査（紙送り）のみで印刷するラインタイプの印刷装置など、印刷態様の如何にかかわらず適用可能なものであり、同様の作用効果を奏するものである。また、以上の実施形態ではインクジェット式の記録ヘッドを用いる場合を例に挙げて説明したが、本発明は、インクジェット式の他、熱転写式、感熱式、レーザビーム照射式、ワイヤドット式など、他の記録方式の記録ヘッドを用いる印刷装置においても同様に適用可能なものであり、同様の作用効果を奏するものである。
【００２１】
また、本発明は、１個の記録ヘッドを用いる印刷装置、異なる色のインクで記録する複数の記録ヘッドを用いるカラー印刷装置、あるいは同一色彩で異なる濃度で記録する複数の記録ヘッドを用いる階調印刷装置、さらには、これらを組み合わせた印刷装置の場合にも、同様に適用することができ、同様の効果を達成し得るものである。また、本発明に係る印刷装置は、印刷装置単体のみならず、複写機、ファクシミリ、撮像画像形成装置などの複合装置における印刷装置、さらにはコンピュータシステムなどの複合装置の出力機器としての印刷装置など、画像情報に基づいて画像形成を行うシステムや装置に対して広く適用可能であり、同様の作用効果を奏するものである。
【図面の簡単な説明】
【００２２】
【図１】本発明を適用したロール紙印刷装置の一実施形態の要部構成を示す模式的斜視図である。
【図２】ロール紙を切断する切断手段を有するロール紙印刷装置の要部構成を示す模式的斜視図である。
【図３】図２のロール紙印刷装置におけるロール紙切断中の不具合を例示する模式的部分斜視図である。
【図４】図３に示す不都合を解消するための構成を有する従来のロール紙印刷装置の要部を示す模式的部分斜視図である。
【符号の説明】
【００２３】
１０１ａ、１０１ｂ      ロール紙保持手段
２０１      搬送ローラ
２０２      ロール紙
２０２ａ    切断箇所
２０３      記録ヘッド
２０４      ヘッド移動手段
２０６      切断手段（カッター）
２０７      カッター移動手段
２０７ａ    駆動プーリ
２０７ｂ    従動プーリ
２０７ｃ    ベルト
２０７ｄ    案内部材
【図１】
2006159414.tif 000003
【図２】
2006159414.tif 000004
【図３】
2006159414.tif 000005
【図４】
2006159414.tif 000006